(57)【要約】      （修正有）【課題】コンピュータ等の電子装置内にスペースに従って、変換器と変換器を適切な空間に取り付けできて、多種電圧の直流電源をそれぞれの電子装置に提供する。【解決手段】直流電源入力トランス１０と、延長コード１１を介して直流電源入力トランスに接続した電圧変換器２０を設け、直流電源入力トランスによって異なる電圧の直流電源を単一の電圧値に調節した後、延長コードにより直流電圧変換器に送って電圧をそれぞれ分圧して出力することで、多種電圧が必要の電子設備に供給する。【選択図】図４
0003139852.tif 000002
【実用新案登録請求の範囲】
【請求項１】
電子主機の内部に取り付けられた直流電源入力トランスと直流電圧変換器と延長コードとを具備し、
前記電源入力トランスと直流電圧変換器との間を延長コードにより接続し、
外部入力の異なる電圧を前記直流電源入力トランスによって、単一電圧に調節した後、延長コードを介して直流電圧変換器に伝送し、直流電圧変換器によって電圧を分圧して出力し、電子装置内部の多種電圧を必要とする電子関連装置へ供給することを特徴とする電源装置。
【請求項２】
前記電子装置はコンピュータ主機であることを特徴とする請求項１記載の電源装置。
【請求項３】
前記外部直流電圧が６Ｖ、７Ｖ、８Ｖ、９Ｖ、１０Ｖ〜２４Ｖ、又は４８Ｖであることを特徴とする請求項１記載の電源装置。
【請求項４】
前記外部直流電圧が２４Ｖ以上であることを特徴とする請求項１記載の電源装置。
【請求項５】
前記直流電源入力トランスの出力電圧はＡＴＸ又はＡＴＸ１２Ｖ仕様に合致することを特徴とする請求項１記載の電源装置。
【請求項６】
前記直流電源入力トランスと直流電圧変換器とを一体化したことを特徴とする請求項１記載の電源装置。
【請求項７】
前記直流電源入力トランスと直流電圧変換器とをそれぞれ独立した形態で電子装置の異なる場所に取り付けたことを特徴とする請求項１記載の電源装置。
【請求項８】
前記直流電源入力トランスにコネクタが接続されていることを特徴とする請求項１記載の電源装置。
【考案の詳細な説明】
【技術分野】
【０００１】
本考案は電源装置に関し、より詳細には、コンピュータ等の電子装置に取り付けられる直流電圧の変換器と変換器によって、外部より入力された異なる電圧を単一電圧に調節した上で、必要に応じてそれぞれの電圧に分圧して出力できる電源装置に関するものである。
【背景技術】
【０００２】
科学の進歩につれて電子技術も向上し、もはや電子製品は現代人生活に欠かせない要素となり、各種の電子製品も軽薄短小及び多機能化を目標としている。
そして、この種の軽薄短小構造の電子製品はスペースの小型化が要求されるため、より集積度の高い電子部品を使用しなければならない。
【０００３】
通常、机上式（ディスクトップ式）コンピュータ主機は、その背面パネルに電源装置が取り付けられている。
図１に示すように従来の電源装置１は、金属部材のケーシング体により覆われている。
前記ケーシング体の内部にはさらに交流変圧装置（直流交流変換装置）と直流電圧変換器（変圧器）が取り付けられている。
前記変圧装置は市電(交流電源)を直流電源に変換することを目的とする。
前記直流電圧変換器は変圧装置によって変換された直流電源を多種の電圧の直流電源に変換して、コンピュータ主機に取り付けられている各電子装置(マザーボード、ディスク装置、インターフェスカード等)に供給する。
【考案の開示】
【考案が解決しようとする課題】
【０００４】
しかしながら、この種の電源装置にあっては、変換器と変換器を同じケーシング体に設置しなければならないため、設置スペースを取ることのほかに、電子装置に直付けすることができない。
そのうえ、電源も交流に限られている。
よって、自動車、船舶等の交通機器にあっては、新たに変圧装置を取り付けない限り、必要な電源を使用することができず、使用するうえで非常に面倒であった。
【０００５】
さらに、図２に公知技術の他の電源装置を示す。
この電源装置は主に電子装置の主機に直流電圧分圧器２を取り付けている。
電圧分圧器２は電気回路によって、主機内部の電子装置とそれぞれに接続される。
前記電圧分圧器２に取り付けた交流電源トランス３が、市電(交流電源)を単一電圧の直流電源に変換する。
これにより、主機内部の電源装置の設置スペースが軽減されるものの、自動車、船舶、又は直流電圧のみを提供できる場所においては、直流電圧値の異なる電圧しか提供できないとき、メーカは多数の直流電圧入力値仕様の製品を生産しなければならないために、生産コストがアップするといった問題がある。
【０００６】
本考案は以上の点に鑑みて成されたもので、本考案の一つの目的は、電子装置のスペースにより、変換器と変換器は適切な空間に取り付けられるほか、多種電圧の直流電源をそれぞれの電子装置に供給することができ、さらに使用するうえで便利でかつ単純な電源装置を提供することにある。
本考案のもう一つの目的は、直流電源入力トランスの入力電源が６Ｖ、７Ｖ、８Ｖ、９Ｖ、１０Ｖ〜２４Ｖ、４８Ｖ又は２４Ｖ以上である電源装置を提供することにある。
さらに本考案の目的は、直流電圧変換器の出力電源はＡＴＸ、ＡＴＸ１２Ｖなどの規格に一致する、電源装置を提供することにある。
【課題を解決するための手段】
【０００７】
本考案は公知技術の前記した欠点に対する改良を図るものである。
本考案は一つのケーシング体に収納できる一種の電子主機に使用できる電源装置を提供するものである。
前記電源装置に直流電源入力トランスを設け、前記直流電源入力トランスは延長コードにより直流電圧変換器に接続される。
【０００８】
本願の第１考案は、電子主機の内部に取り付けられた直流電源入力トランスと直流電圧変換器とを具備し、前記電源入力トランスと直流電圧変換器との間を延長コードにより接続し、外部入力の異なる電圧を前記直流電源入力トランスによって、単一電圧に調節した後、延長コードを介して直流電圧変換器に伝送し、直流電圧変換器によって電圧を分圧して出力し、電子装置内部の多種電圧を必要とする電子関連装置へ供給することを特徴とする電源装置を提供する。
本願の第２考案は、前記電子装置はコンピュータ主機であることを特徴とする前記第１考案に記載の電源装置を提供する。
本願の第３考案は、前記外部直流電圧が６Ｖ、７Ｖ、８Ｖ、９Ｖ、１０Ｖ〜２４Ｖ、又は４８Ｖであることを特徴とする前記第１考案に記載の電源装置を提供する。
本願の第４考案は、前記外部直流電圧が２４Ｖ以上であることを特徴とする前記第１考案に記載の電源装置を提供する。
本願の第５考案は、前記直流電源入力トランスの出力電圧はＡＴＸ又はＡＴＸ１２Ｖ仕様に合致することを特徴とする前記第１考案に記載の電源装置を提供する。
本願の第６考案は、前記直流電源入力トランスと直流電圧変換器とを一体化したことを特徴とする前記第１考案に記載の電源装置を提供する。
本願の第７考案は、前記直流電源入力トランスと直流電圧変換器とをそれぞれ独立した形態で電子装置の異なる場所に取り付けたことを特徴とする前記第１考案に記載の電源装置を提供する。
本願の第８考案は、前記直流電源入力トランスにコネクタが接続されていることを特徴とする前記第１考案に記載の電源装置を提供する。
【考案の効果】
【０００９】
本考案は、異なる電圧の直流電源を直流電源トランスによって、単一電圧に調節した上、延長コードより直流電圧変換器に出力し、前記変換器によって、電圧を分圧してそれぞれ出力して、多種電圧を必要な電子装置と関連装置(マザーボード、ディスク装置、インターフェスカードなど)に供給することができる。
本考案は電子装置のスペースに従い、直流電源入力トランス及び直流電圧変換器を適切な空間に設置できることにくわえて、多種の電圧の直流電源をそれぞれの設備に提供することができる。
【考案を実施するための最良の形態】
【００１０】
以下、図面を参照しながら本考案の実施例について詳細に説明する。
【実施例１】
【００１１】
図３、４に電子主機に取り付けられる本考案に係る電源装置の一例を示す。
本実施例において、電子装置はコンピュータを用いる。
電源装置に直流電源入力トランス１０を設ける。直流電源入力トランス１０は多種の直流電圧値を単一電圧に変換する。
多種電圧の直流電源は自動車、バス及び船舶などの交通機器より取得できる。
また、本実施例において、単一入力の直流電圧は６Ｖ、７Ｖ、８Ｖ、９Ｖ、１０Ｖ〜２４Ｖ、４８Ｖ又は２４Ｖ以上を用いる。
【００１２】
さらに、直流電源入力トランス１０はさらに延長コード１１により直流電圧変換器２０に接続する。
直流電圧変換器２０は入力された単一電圧値の直流電源をＡＴＸ又はＡＴＸ  １２Ｖ規格に分圧（＋３．３Ｖ、＋５Ｖ、＋１２Ｖ等）した上、電子主機内部のそれぞれの電子装置(マザーボード、ディスク装置、インターフェスカード等)に提供する。
前記直流電圧変換器２０は必要に応じて、それらの電子装置の近傍部に取り付けることができる。
【００１３】
図４に示すように、本考案に係る電源装置をケーシング体３０の内部に取り付ける。
電源装置を構成する直流電源入力トランス１０及び直流電圧変換器２０は一体化、若しくはそれぞれ独立した形態で以って、ケーシング体３０内の適切な空間に取り付ける。
多種電圧の直流電源はコネクタ１２を介して直流電源入力トランス１０に入力し、直流電源入力トランス１０で単一電圧に調節する。
さらに単一電圧に調節した後、延長コード１１を介して直流電圧変換器２０に伝送される。
直流電源入力トランス１０の近傍に設置した直流電圧変換器２０により、電圧を多種電圧に分圧して出力し、所望電圧の電子装置や関連装置に供給する。
このように、電子装置のスペースに従い、直流電源入力トランス１０及び直流電圧変換器２０を適切な空間内に取り付けることができることのほかに、多種電圧の直流電源をそれぞれの設備へ提供することができる。
【００１４】
以上の説明は本考案の実施例について説明したが、本考案は実施例の記載に限定されるものではない。本考案の精神を逸脱しない範囲で当業者が適宜行なう変更や置換等も本考案に含まることは勿論である。
【図面の簡単な説明】
【００１５】
【図１】公知技術の装置の概略図である。
【図２】公知技術の装置の概略図である。
【図３】本考案の実施例に係る電源装置の電気回路図である。
【図４】本考案の実施例に係る電源装置を具備する電子装置の立体概略図である。
【符号の説明】
【００１６】
１０    直流電源入力トランス
１１    延長コード
１２    コネクタ
２０    直流電圧変換器
３０    ケーシング体
【図１】
0003139852.tif 000003
【図２】
0003139852.tif 000004
【図３】
0003139852.tif 000005
【図４】
0003139852.tif 000006